(57)【要約】      （修正有）【課題】濡れた傘を一時的に閉じた時に生じる半閉じ形態を防止し、画一的なデザインによる他人の傘との混同を防止する着脱自在な傘閉じ用チェーン体を提供する。【解決手段】チェーン基盤部１の一方端に、連結用リング体２を装着し、連結用リング体２につなげてアタッチメント用リング体３を装着し、他方一方端には止着用リング体４を装着させたチェーン体１１を設け、傘本体の露先チップの一か所を抜きはずした後の露先支持骨の先端部に、アタッチメント用リング体３をはめ込んだ後、当該露先チップをもとの位置に戻しはめて固定装着させ、柄ネック部所に集結させた全露先支持骨をチェーン体１１で巻き付け結束し、チェーン体１１で巻き付け終えた部所に近い露先チップの１〜２か所の上部から止着用リング体４をはめ込み止着する。半閉じ形態を防止すると共にチェーン基盤部１の材質の多様化により他人の傘との区別化の目印になる。【選択図】図１
0003195803.tif 000002
【実用新案登録請求の範囲】
【請求項１】
傘本体（１２）とは別体の、長さ８０ｍｍ〜１２０ｍｍの金属チェーンや耐水性素材から成るチェーン基盤部（１）を設け、チェーン基盤部（１）の一方端には内径８ｍｍ〜１２ｍｍの連結用リング体（２）を装着し、さらに当該連結用リング体（２）につなげて内径３ｍｍ〜８ｍｍのアタッチメント用リング体（３）を装着し、他方の一方端には内径１２ｍｍ〜１８ｍｍの止着用リング体（４）を装着させたチェーン体（１１）であって、当該アタッチメント用リング体（３）を、傘本体（１２）の露先チップ（６）の一か所を抜きはずした後の露先支持骨先端部（７）にはめ込んだ後、当該露先チップ（６）をもとの位置に戻しはめて固定装着させることにより、傘本体（１２）と当該チェーン体（１１）が一体化された形態になり、当該チェーン体（１１）で、柄ネック部所（８）に集結させた全露先支持骨（９）を巻き付け結束させ、もう一方端に装着した止着用リング体（４）をチェーン体（１１）で巻き付け終えた部所に近い露先チップ（６）の上部からはめ込むことにより止着させ、閉じバンド効果をもたらし傘の半閉じ形態を防止できる着脱自在な傘閉じ用チェーン体（１１）。
【考案の詳細な説明】
【技術分野】
【０００１】
本考案は、取り付け及び取り外し自在な、濡れた傘を一時的に閉じまとめ、且つ個人の目印やアクセサリーともなる着脱自在な傘閉じ用チェーン体に関するものである。
【背景技術】
【０００２】
近年多く使用されている外国製の安価な傘や、ビニール傘と呼ばれる類の傘には、コスト面の事情により全露先支持骨を柄ネック部所に集結させて結束させる金具や巻き締めバンドが既成装着されていない物がほとんどであり、傘全体のデザインも画一的なものが多い。
【考案の概要】
【考案が解決しようとする課題】
【０００３】
濡れた傘を一時的に閉じた時、傘本体表布に既存の巻き締めバンドをその都度使用することがほぼないため、半閉じ形態のまま持ち歩いたり乗車する場面が多く、他人との接触範囲を侵害しやすく、水滴で迷惑をかけることになる。且つ、見た目にもまとまりがなく整然としない。また公共の傘置き場では、デザインが画一的なビニール傘においては特に他者との取り違えが多い傾向にある。
【課題を解決するための手段】
【０００４】
本考案は、傘本体（１２）とは別体の、長さ８０ｍｍ〜１２０ｍｍの金属チェーン類や耐水性素材から成るチェーン基盤部（１）を設け、チェーン基盤部（１）の一方端には内径８ｍｍ〜１２ｍｍの連結用リング体（２）を装着し、さらに当該連結用リング体（２）につなげて内径３ｍｍ〜８ｍｍのアタッチメント用リング体（３）を装着し、他方の一方端には内径１２ｍｍ〜１８ｍｍの止着用リング体（４）を装着させたチェーン体（１１）であって、当該アタッチメント用リング体（３）を、傘本体（１２）の露先チップ（６）の一か所を抜きはずした後の露先支持骨先端部（７）にはめ込んだ後、当該露先チップ（６）をもとの位置に戻しはめて固定装着させることにより、傘本体（１２）と当該チェーン体（１１）が一体化された形態になり、当該チェーン体（１１）で、柄ネック部所（８）に集結させた全露先支持骨（９）を巻き付け結束させ、もう一方端に装着した止着用リング体（４）をチェーン体（１１）で巻き付け終えた部所に近い露先チップ（６）の上部からはめ込むことにより止着させ、閉じバンド効果をもたらし傘の半閉じ形態を防止できる着脱自在な傘閉じ用チェーン体（１１）である。
【考案の効果】
【０００５】
上述のように、本考案の着脱自在な傘閉じ用チェーン体は、本来の傘としての使用機能を全く損なうことなく、濡れた傘を一時的に閉じた時、傘本体表布に既存の巻き締めバンドを使用することによって、手を濡らしてしまうわずらわしさが解消され、全露先支持骨を整然とまとめ、傘の広がりを少なくすることにより、他人との接触範囲を狭め、水滴で迷惑をかけることを防止できる。またデザインの多様化を期待できるので、個人の傘としての目印になり且つアクセサリーとしても楽しむことができるとともにマナー向上の効果も期待できる。また何より、取り付け及び取り外しが簡単且つ自在にできることにより、傘への愛着もわき、おのずと大切に扱うようになるという付加価値も期待できる。
【０００６】
本考案チェーン体は、傘を閉じた形態においては、柄ネック部所でブレスレット状のアクセサリーとしての効果を発揮し、また傘を開いた形態においては、露先チップ部所で垂れ下がるタイプのピアス状のアクセサリーとしての効果を発揮でき、いずれの形態においても、傘の新しいアクセサリーとして充分楽しむことが出来る。
【図面の簡単な説明】
【０００７】
【図１】本考案のチェーン体を示す図であり、（ａ）はチェーン基盤部、（ｂ）はチェーン体の全体図。
【図２】本考案のチェーン体を使用しない場合の傘の半閉じ形態を示す図。
【図３】本考案のチェーン体の使用状態を示す図であり、（ａ）は露先チップの一か所を抜きはずした後の露先支持骨先端部にチェーン体をはめ込んだ図、（ｂ）はチェーン体をはめ込んだ後に当該露先チップをもとの位置に戻しはめて固定装着させた図、（ｃ）はチェーン体で全露先支持骨を柄ネック部所に集結させて結束及び止着させた図、（ｄ）はチェーン体を装着させた傘を開いた図。
【考案を実施するための形態】
【０００８】
本考案の実施形態を図面に従って説明する。
【実施例】
【０００９】
図１ａのチェーン基盤部１は、金属チェーンや耐水性素材から成る。図１ｂのチェーン体１１は、図１ａのチェーン基盤部１の一方端に連結用リング体２を装着し、連結用リング体２につなげてアタッチメント用リング体３を装着し、他方一方端には、止着用リング体４を装着し、デザイン的に施された宝飾具５から成る。ここで言う連結用リング体２及び止着用リング体４は変形しにくい材質から成る物であり、アタッチメント用リング体３は摩擦効果のある材質から成る物である。
【００１０】
濡れた傘を一時的に閉じて持ち歩く時、あるいは乗車する時など、傘本体１２の表布に既存の巻き締めバンド１０をその都度使用すると、手を濡らしてしまうという煩わしさもあり一般的ではない。
【００１１】
しかし傘本体１２の表布に既存の巻き締めバンド１０を使用しないことにより全露先支持骨９が中棒１３付近に集結せず、図２に示すように半閉じ形態のまま携帯することになり、水滴で他人に迷惑をかけることがある。
【００１２】
そこで図３ａに示すように、本考案チェーン体１１の一方端のアタッチメント用リング体３を、露先チップ６の一か所を抜きはずした露先支持骨先端部７にはめ込み、抜きはずした露先チップ６をもとの位置に戻しはめて固定装着させることにより図３ｂに示すようにチェーン体１１が傘本体１２に装着され一体化することが出来る。
【００１３】
柄ネック部所８で全露先支持骨９を集結させて、当該チェーン体１１を巻き付けて結束し、止着用リング体４をチェーン体１１を巻き付け終えた部所に近い露先チップ６の１〜２か所の上部からはめて止着する。ここで、チェーン体１１を巻き付け終えた部所に近い露先チップ６とは、アタッチメント用リング体３をはめた露先チップ６及びその前後に位置する露先チップ６を指すものとする。
【００１４】
図３ｃに示すように、半閉じ形態であった図２の傘の全露先支持骨９が柄ネック部所８にまとまり、見た目にも整然とすっきりし、他人との接触範囲を狭められる。
【００１５】
また当該チェーン体１１の、傘本体１２への取り付け取り外しは、露先チップ６の一か所の抜きはずし及び戻しはめという簡単且つユニークな方法により、誰にでも容易に実行できるので、アレンジ傘を製作するという達成感ももたらされる。
【００１６】
チェーン基盤部１の材質の多様性や宝飾具５をあしらう事により変化をつけることが出来るため、個人の目印となると共に、新しいアクセサリーとしての効果も発揮でき、傘に愛着を持ち大切に扱うようになるという付加価値も期待できる。
【符号の説明】
【００１７】
１    チェーン基盤部
２    連結用リング体
３    アタッチメント用リング体
４    止着用リング体
５    宝飾具
６    露先チップ
７    露先支持骨先端部
８    柄ネック部所
９    露先支持骨
１０  既存の巻き締めバンド
１１  チェーン体
１２  傘本体
１３  中棒
【図１】
0003195803.tif 000003
【図２】
0003195803.tif 000004
【図３】
0003195803.tif 000005